(57)【要約】      （修正有）【課題】バス加入者モジュールをマウンティングレールに柔軟に配置することができる非接触エネルギー／データ供給システムを提供する。【解決手段】サブベース上に互いに一列に並べることのできるバス加入者モジュールの非接触データ／エネルギー供給用のシステムであって、前記サブベースは、エネルギー伝送インターフェイス５とデータ伝送インターフェイス６とを有し、前記バス加入者モジュール２はそれぞれ、対応するエネルギー伝送インターフェイスと、対応するデータ伝送インターフェイスとを有するシステムにおいて、前記エネルギー伝送インターフェイス５と前記データ伝送インターフェイス６とを有して、主延長方向に沿って延びるサプライバー４が設けられている。【選択図】図１
2014132821.tif 000002
【特許請求の範囲】
【請求項１】
サブベース上に互いに一列に並べることのできるバス加入者モジュールの非接触データ／エネルギー供給用のシステムであって、
前記サブベースは、エネルギー伝送インターフェイス（５）とデータ伝送インターフェイス（６）とを有し、前記バス加入者モジュール（２）はそれぞれ、対応するエネルギー伝送インターフェイス（７）と、対応するデータ伝送インターフェイス（８）とを有する、システムにおいて、
前記エネルギー伝送インターフェイス（５）と前記データ伝送インターフェイス（６）とを有するサプライバー（４）が設けられていることを特徴とする、システム。
【請求項２】
前記サブベースがマウンティングレールとして製作され、該マウンティングレールには、該マウンティングレール（１）の主延長方向に沿って延びる前記サプライバー（４）が設けられており、該サプライバー（４）が、前記エネルギー伝送インターフェイス（５）と前記データ伝送インターフェイス（６）とを示すことを特徴とする、請求項１に記載のシステム。
【請求項３】
アセンブリレールが、バス加入者モジュール（２）をそれに固定することができるハット形断面を有するマウンティングレール（１）として製作されており、該バス加入者モジュール（２）は、グリッドフリーに互いに一列に並べることが可能であって、前記マウンティングレール（１）が自由スペース（３）を有し、前記サプライバー（４）が、前記自由スペース（３）に少なくとも部分的に一体化されるか、又は好ましくはそこに挿入されていることを特徴とする、請求項２に記載のシステム。
【請求項４】
前記アセンブリレールが、ハット形断面を有する、マウンティングレール（１）として製作されていることを特徴とする、請求項２又は３に記載のシステム。
【請求項５】
前記サプライバー（４）が、前記マウンティングレール（１）の自由スペース中に、接着、又はロック、又は締結されていることを特徴とする、請求項２〜４のいずれか一項に記載のシステム。
【請求項６】
前記バス加入者モジュール（２）が、前記マウンティングレール（１）上に、その主延長方向においてグリッドフリー状態で自由に位置づけ可能であること、及び／又は前記サプライバーが、２つ以上のバス加入者モジュールにわたる列に延びていることを特徴とする、請求項１〜５のいずれか一項に記載のシステム。
【請求項７】
前記サプライバー（４）が、支持構造を有し、該支持構造上に、少なくとも１つ又は複数の誘導要素及び／又は電極が、誘導性結合及び／又は容量性結合のために設置されていることを特徴とする、請求項１〜６のいずれか一項に記載のシステム。
【請求項８】
前記サプライバー（４）が、前記マウンティングレール（１）内の前記自由スペース（３）中に突出する凸部（２５）を有すること、及び前記バス加入者モジュール（２）が、凹部（２６）を有し、該凹部（２６）に、前記凸部（２５）が、マウンティングレール（１）上に装着された状態で係合することを特徴とする、請求項１〜７のいずれか一項に記載のシステム。
【請求項９】
前記エネルギー伝送インターフェイス（５）及び／又は前記データ伝送インターフェイス（６）が、誘導性非接触伝送用に設計されており、それぞれが１次側誘導要素を有すること、及び前記バス加入者モジュール（２）の前記エネルギー伝送インターフェイス（７）及び／又は前記対応するデータ伝送インターフェイス（８）が、誘導性非接触伝送用に設計されており、それぞれ２次側誘導要素を有することを特徴とする、請求項１〜８のいずれか一項に記載のシステム。
【請求項１０】
前記エネルギー伝送インターフェイス（５）及び／又はデータ伝送インターフェイス（６）が、容量性非接触伝送用に設計されていること、及び前記バス加入者モジュール（２）の前記エネルギー伝送インターフェイス（７）及び／又は前記対応するデータ伝送インターフェイス（８）が、容量性非接触伝送用に設計されていることを特徴とする、請求項１〜９のいずれか一項に記載のシステム。
【請求項１１】
ａ．前記エネルギー伝送インターフェイス（５）及び／又は前記データ伝送インターフェイス（６）の１次側誘導要素（複数を含む）がそれぞれ、前記バス加入者モジュールの複数の２次側誘導要素へのエネルギー／データ伝送用に設計されていること、又は
ｂ．前記エネルギー伝送インターフェイス（５）及び／又は前記データ伝送インターフェイス（６）がそれぞれ、前記バス加入者モジュールの複数の２次側電極への容量性エネルギー／データ伝送用に設計されている、電極、特にストリップ導体を示すことを特徴とする、請求項１の前文に記載の、又は請求項１〜１０のいずれか一項に記載のシステム。
【請求項１２】
位置決め誤差を調節する手段としての前記１次側誘導要素は、前記２次側誘導要素と比較すると、前記マウンティングレールに垂直なＹ方向において、構造幅が異なることを特徴とする、請求項１〜１１のいずれか一項に記載のシステム。
【請求項１３】
１次側及び２次側の電極（３０、３１）が、前記サプライバー（４）上及び前記バス加入者モジュール（２）上の、互いに係合する凸部（３３）及び凹部（３２）［を有する］、サイドレグ上で、Ｘ−Ｙ方向において前記マウンティングレールに垂直に製作されていることを特徴とする、請求項１〜１２のいずれか一項に記載のシステム。
【請求項１４】
前記電極が、互いに係合する凸部のサイドレグ上でＸＹ方向においてマウンティングレールレベルに垂直に整列されており、前記サプライバー上、及び前記バス加入者モジュール上の凹部が、位置決め誤差を調節するために、前記マウンティングレールに垂直に、Ｚ方向において異なる幅で配置されていることを特徴とする、請求項１〜１３のいずれか一項に記載のシステム。
【請求項１５】
前記サプライバー（４）上の前記ストリップ導体が、Ｙ方向において、主延長方向に沿って変更が可能な構造幅を有することを特徴とする、請求項１〜１４のいずれか一項に記載のシステム。
【請求項１６】
前記マウンティングレール上に設置されるバス加入者モジュールの数の関数として、システムを調節するように設計された、制御装置を有することを特徴とする、請求項１〜１５のいずれか一項に記載のシステム。
【請求項１７】
少なくとも１つの確定可能な限界パラメータから、前記マウンティングレールに設置されるバス加入者モジュールの数を特定し、前記マウンティングレール上に設置された前記バス加入者モジュール数の関数としてシステムを調節するように設計された、制御装置を有することを特徴とする、請求項１〜１６のいずれか一項に記載のシステム。
【請求項１８】
前記マウンティングレール上に設置された前記バス加入者モジュールの絶対順序を特定するように設計された、制御装置を有することを特徴とする、請求項１〜１７のいずれか一項に記載のシステム。
【請求項１９】
ゲートウェイモジュール（１３）を有すること、及び該ゲートウェイモジュールに、好ましくは前記制御装置が設けられていることを特徴とする、請求項１〜１８のいずれか一項に記載のシステム。
【請求項２０】
前記ゲートウェイモジュール（１３）が、１つ又は複数の回線（ケーブル）によって前記サプライバー（４）と接続されていると共に、前記サプライバー上の誘導要素／容量要素に連結されていることを特徴とする、請求項１〜１９のいずれか一項に記載のシステム。
【請求項２１】
ゲートウェイモジュール（１３）が、送信ユニット、又は複合送受信装置をさらに実装するのに必要な、電気的及び／又は電子的な構造要素を有することを特徴とする、請求項１〜２０のいずれか一項に記載のシステム。
【請求項２２】
複数のサプライバーが前記ゲートウェイモジュールに接続されおり、該サプライバーのエネルギー／データ伝送インターフェイスが、ケーブル接続を介して互いに結線されていることを特徴とする、請求項１〜２１のいずれか一項に記載のシステム。
【請求項２３】
請求項１〜２２のいずれか一項に記載のシステムを動作させる方法であって、前記制御装置の助けを借りて、エネルギー伝送及び／又はデータ伝送の間に、少なくとも１つの確定可能な限界パラメータから、前記マウンティングレールに設置されたバス加入者モジュールの数を特定できること、及び前記システムが、前記マウンティングレールに設置されたバス加入者モジュールの数の関数として再調節されることを特徴とする、方法。
【請求項２４】
請求項１〜２２のいずれか一項に記載のシステムを動作させる方法であって、前記制御装置の助けを借りて前記マウンティングレールに設置された、前記バス加入者モジュールの絶対サイトが、特定されることを特徴とする、方法。
【発明の詳細な説明】
【技術分野】
【０００１】
本発明は、請求項１の前文に記載のバス加入者モジュールの非接触エネルギー／データ供給用のシステムに関する。
【背景技術】
【０００２】
電磁誘導を用いることによって、送信ユニットから受信ユニットに通信信号及び場合によってはエネルギーも一緒に又は別個に、かつ非接触で伝送できることが知られている。ある変形形態によれば、これには、１次コイル（送信機）から２次コイル（受信機）への高周波磁場の助けを借りた誘導伝達を伴う。２つのスイッチ回路間で、容量的な方法でエネルギーとデータを伝送できることも知られている。容量性結合は、距離に大きく依存するが、周波数の高まりに伴って成長している。
【０００３】
独国特許出願公告第１０２０３７６５号、独国特許出願公開第１００２６１７４号及び米国特許出願公開第２００１／００２４８８８号が技術的背景として引用されている。
【０００４】
欧州特許出願公開１８８５０８５号は、誘導伝送を用いて非接触でデータバスのバス加入者モジュールに電気エネルギーを供給すると共に、この方法でデータを伝送することを提案している。
【発明の概要】
【発明が解決しようとする課題】
【０００５】
欧州特許出願公開１８８５０８５号によって提案された解決策は、バス加入者と関係アセンブリベースとを、正確に相互調整されたプラグイン・サイトにおいて合体させることを必要とするので、柔軟性が乏しすぎる。しかしながら、その方法においては、所定の構造幅の電子ハウジングをアセンブリベースと結合することだけが可能である。このことによって、固定されたキャッチポイントが設定されることになり、これはまた別の問題となる。
【０００６】
この問題を解決することが、本発明の第１の課題である。
【課題を解決するための手段】
【０００７】
本発明は、請求項１の対象物によって、この課題を達成する。
【０００８】
従って、本発明は、アセンブリベース上に互いに一列に並べることのできるバス加入者モジュールの非接触データ／エネルギー供給用のシステムであって、アセンブリベースは、好ましくは別個に製作されているが統合インターフェイスとしても考えられる、少なくとも１つのエネルギー伝送インターフェイスとデータ伝送インターフェイスとを有し、バス加入者モジュールはそれぞれ、対応するエネルギー伝送インターフェイスと、対応するデータ伝送インターフェイスとを有すると共に、エネルギー伝送インターフェイスとデータ伝送インターフェイスとを示す、有利なサプライバー（supply bar）が設けられている、システムを提供する。
【０００９】
特に好ましく有利な方法においては、アセンブリベースは、アセンブリバーとして製作されており、このアセンブリバーには、アセンブリバーの主延長方向に沿って延びるサプライバーが設けられており、このサプライバーが、エネルギー伝送インターフェイスとデータ伝送インターフェイスとを示す。
【００１０】
特に、この方法によって、最適化システムをわずかな構造部品費用で作成することが可能であり、この場合には、アセンブリバー、特にマウンティングレール（mounting rail）が、非接触データ／エネルギー伝送について説明した種類の補助サプライバーによって使用される。
【００１１】
代替選択肢として、システムをアセンブリプレートに装着すること、又はユニットをその上に装着するために直接、サプライバーを使用することも考えられる。
【００１２】
本発明は、特に簡単で安価な方法で実現することが可能であって、その方法においては、マウンティングレールがハット形断面を有するバスバー（bus bar）として製作されており、このバスバーにバス加入者モジュールを固定することが可能であって、またそれらをグリッドフリー（grid-free）に互いに一列に並べることが可能であり、またバスバーは自由スペースを有し、前記サプライバーが、この自由スペースに少なくとも部分的に統合化、好ましくは挿入されている。ここで、サプライバーを別個の要素として事前に製作して、それを全体として、いわゆる組立済みユニットとして、マウンティングレール上に固定すること、特に、それを、マウンティングレールの自由スペース中に接着すること、及び／又はそこにロックすること、及び／又はそこに締結すること及び／又はそこにねじ止めすることも考えられる。
【００１３】
マウンティングレール、又はマウンティングレール内のバスレールは移動部品と接触せず、従って、特に、受動構造要素だけがレール内に存在するときの、破損安全性は比較的高く、損耗は比較的小さい。
【００１４】
マウンティングレールは、ロックオンされるモジュールの自由な位置決め可能性に対して、基本的に適している。バス加入者モジュールも、主延長方向においてグリッドフリーにマウンティングレール上で自由に位置決め可能である場合に、この設計によってシステムが特に柔軟になるので、特に、有利である。
【００１５】
容量性又は誘導性のシステムとして、レイアウトによっては、サプライバーには、容量性結合のために、少なくとも１つ又はいくつかのストリップ導体がその上に設置されたベースボディ、又は誘導性結合のために、少なくとも１つ又はいくつかのコイルがその上に設置されたベースボディを備えることができる。
【００１６】
また混合形態についても考えることができ、その方法では、エネルギー伝送は、容量的又は誘導的に行うことが可能であり、データ伝送は、従って、誘導的又は容量的以外の方法で行うことができる。これらの変形形態を用いると、特定のタスクに適合する、特定の伝送形態を誘導的又は容量的に選択することができる。
【００１７】
好ましくは、エネルギー伝送は誘導的に行われ、データ転送は容量的に行われるが、その理由はこれらの伝送の形態は、それぞれ、これらの変形形態に対して特に適しているからである。
【００１８】
本発明のさらなる発展は以下のものを提供する。バス加入者モジュールは、マウンティングレールに装着された状態にあるときに、サプライバー上の凸部が係合する、凹部を有する。この凸部は、マウンティングレールの自由スペース上に突出して、それによって、高い確率の機械的符号化の方法によって、システムに属しないモジュールが設置されるのを防止することができる。
【００１９】
エネルギー伝送インターフェイス及び／又はデータ伝送インターフェイスの１次側誘導要素（複数を含む）が、それぞれ、バス加入者モジュールの２次側誘導要素のいくつかへのエネルギー伝送及びデータ伝送のために設計されている場合に、特に有利である。ここで、それらの誘導要素が、バス加入者モジュール用に設けられた固定プラグイングリッドによる最新技術から得られることなどの、制限が除去されると、特に有利である。代わりに、バス加入者モジュールは、マウンティングレール上に自由に位置づけることができる。さらに、それらのバス加入者モジュールは、マウンティングレールの主延長方向に沿って、異なる幅を有することができると共に、マウンティングレールに垂直に異なる構造深さを有することができる。このようにして特に確実に実現可能であるのは、いくつかのバス加入者にエネルギーを誘導的に供給することである。
【００２０】
代替的に、エネルギー伝送インターフェイス及び／又はデータ伝送インターフェイスが、それぞれ、電極、特にストリップ導体を有し、これを、バス加入者モジュールのいくつかの２次側電極の容量性エネルギー／データ伝達用に設計することが考えられる。ここで、再び、モジュールのグリッドフリー配置の可能性と利点を有する、特に簡単な構造を得る。
【００２１】
本発明は、上記請求項の１つに記載のシステムを動作させる方法も提供し、この方法は、前記制御装置の助けを借りて、エネルギー伝送及び／又はデータ伝送の間に、少なくとも１つの確定可能な物理パラメータに基づいて、マウンティングレールに設置されたバス加入者モジュールの数を特定できること、及び前記システムが、マウンティングレールに設置されたバス加入者モジュールの数の関数として調整されることを特徴とする。この方法によって、例えば、バス加入者の数の関数として最適な方法でシステムを調節することが可能になる。言い換えると、このことは、すべての場合に強制的ではないが、本発明のさらなる有利な発展形態を包含する。
【００２２】
制御装置の助けを借りて、マウンティングレールに設置されたバス加入者モジュールの絶対サイトを特定することができる、本システムに関係する請求項のいずれか一項に記載のシステムを動作させる方法、即ち、アドレス割当てに特に有用な方法を実現することがさらに可能である。
【００２３】
本発明の有利な発展形態が、従属請求項に示されている。
【００２４】
要約すると、以下のような注記すべき本発明の利点が得られる：
機能モジュールの比較的自由な位置決め可能性、
それと共に、設置労力の軽減、
保全の簡単さ、
損耗の少なさ、
高い保護等級を簡単に実現する可能性、
その方法では、バス加入者モジュールの位置及び／又は順序などの、追加の情報項目を特定することが場合によっては可能であること、
既存の設置材料を使用することができること、
可動物体についての挿入性があること。
【００２５】
好ましくは、ゲートウェイモジュールと、直列接続されたエネルギー伝送装置及びデータ伝送装置とで構成される各組合せ当たりのモジュール数は３０以下である。
【００２６】
さらに有利には、各バス加入者モジュール当たりの名目出力は、＜４２Ｖの低電圧範囲において、０〜２０Ｗの量に達すると共に、２ｍｓｅｃ未満毎、好ましくは「１ｍｓｅｃ」毎に、システムイメージが、ゲートウェイモジュール上で利用可能となる。
【００２７】
従って、データ伝送がケーブルを介して行われるが、エネルギー供給の目的では、各モジュール当たりの個別の供給装置があり（請求項２１がモジュール構造を記述している）、データ及びエネルギーの両方がケーブルを介して伝送される、サプライバー用のモジュール構造を考えることができる。
【００２８】
サプライバーの各モジュール当たりに、１つの個別のコイル／誘導要素を構築できること、又はすべてのモジュールにわたって延びるサプライバー全体に対して、１つの特有の誘導要素を設けることが考えられる。
【００２９】
また、ケーブルを介するモジュールからモジュールへの伝送の代わりに、２つのサプライモジュールの間の非接触（容量性／誘導性）結合も考えられる。
【００３０】
さらに、ゲートウェイ／発生器とサプライバーの間の非接触結合も考えられる。
【００３１】
その他の有利な実施形態も、その他の従属請求項に示される。
【００３２】
次いで、本発明を、例示的な実施形態に基づき、図面を参照してより詳細に記述する。
【図面の簡単な説明】
【００３３】
【図１】マウンティングレールに挿入されたサプライバーを備える、マウンティングレールの斜視図である。
【図２】バス加入者モジュールの構造と、サプライバーによるバス加入者モジュールのマウンティングレールへの結合を示す図である。
【図３】ゲートウェイモジュールの構造と、そのゲートウェイモジュールのエネルギー／データ伝送装置、及び上位バスレベルへの結合を示す図である。
【図４】マウンティングレール上のバス加入者モジュール用の非接触エネルギー／データ伝送用のシステムの構造を示す基本図である。
【図５】マウンティングレールとバス加入者モジュールの間の、誘導的に動作するエネルギー結合配置、及び容量性データ結合配置を示す、基本回路図である。
【図６】マウンティングレールとバス加入者モジュールの間の、誘導的に動作するエネルギー結合配置又は容量的なデータ結合配置の機能を示す、その他の基本スケッチ及び基本回路図である。
【図７】マウンティングレールとバス加入者モジュールの間の、誘導的に動作するエネルギー結合配置又は容量的なデータ結合配置の機能を示す、その他の基本スケッチ及び基本回路図である。
【図８】マウンティングレールとバス加入者モジュールの間の、誘導的に動作するエネルギー結合配置又は容量的なデータ結合配置の機能を示す、その他の基本スケッチ及び基本回路図である。
【図９】マウンティングレールとバス加入者モジュールの間の、誘導的に動作するエネルギー結合配置又は容量的なデータ結合配置の機能を示す、その他の基本スケッチ及び基本回路図である。
【図１０】マウンティングレールとバス加入者モジュールの間の、誘導的に動作するエネルギー結合配置又は容量的なデータ結合配置の機能を示す、その他の基本スケッチ及び基本回路図である。
【図１１】バス加入者モジュールを備えるサプライバーを備えるマウンティングレールの斜視図である。
【図１２】バス加入者モジュールを備えるサプライバーを備えるマウンティングレールの斜視図である。
【図１３】エネルギー／データ伝送インターフェイスを備える、マウンティングレールの別の斜視図である。
【図１４ａ】誘導性エネルギー伝送インターフェイス、及び容量性データ伝送インターフェイスを備えるサプライバー、及び類似のインターフェイスを備えるバス加入者モジュールを備える、マウンティングレールで構成される、簡略化した方法で図示された配置の斜視図である。
【図１４ｂ】誘導性エネルギー伝送インターフェイス、及び容量性データ伝送インターフェイスを備えるサプライバー、及び類似のインターフェイスを備えるバス加入者モジュールを備える、マウンティングレールで構成される、簡略化した方法で図示された配置の特徴図である。
【図１５】簡易図における、エネルギー又はデータ伝送インターフェイスと、バス加入者モジュールとを備える、サプライバーを透過する特徴図である。
【図１６】容量性データバス用のシステム構造の回路スケッチを示す図である。
【図１７】ケーブルの助けによるサプライバーの伸長を示す図である。
【図１８】誘導性エネルギー伝送及び容量性データ伝送を備えるシステムの変形形態を示す図である。
【図１９】誘導性エネルギー伝送及び容量性データ伝送を備えるシステムの変形形態を示す図である。
【図２０】位置特定のためのスイッチング変形形態を示す図である。
【図２１】位置特定のためのスイッチング変形形態を示す図である。
【図２２】位置特定のためのスイッチング変形形態を示す図である。
【図２３】サイト可変容量要素を介する位置特定を示す基本図である。
【図２４】サイト特定のシミュレーション結果を示す図である。
【図２５】サイト特定のシミュレーション結果を示す図である。
【図２６】さらに別のシステム構造の構成要素のスケッチである。
【図２７】さらに別のシステム構造の構成要素のスケッチである。
【発明を実施するための形態】
【００３４】
図１は、Ｕ形ベースを有するハット形マウンティングレール１の斜視図を示しており、このＵ形ベースは、ベースレグ（base leg）１ａと、２つの垂直に整列されたサイドレグ（side leg）１ｂ、１ｃと、それに加えてサイドレグ１ｂ、１ｃから離れる方向に垂直に突出すると共に、互いに遠ざかる向きの方向に延びる、２つの縁辺レグ（marginal leg）１ｄ、１ｅとを備える。
【００３５】
知られているように、縁辺レグ１ｄ、１ｅは、マウンティングレール１に、電子ハウジング又はその他を取り付けるために使用され、この電子ハウジングなどは、基本的に、縁辺レグ１ｄ、１ｅをそれで包囲する、対応するキャッチフット（catch foot）（図示せず）を有する。
【００３６】
マウンティングレール１上には、様々なモジュール、特に、マウンティングレール１の主延長方向Ｘにおいて互いに一列に並べることのできる、バス加入者モジュール２が設置されている。
【００３７】
手近な場合には、バス加入者モジュール２には、電子ハウジングが設けられており、この電子ハウジングは、ターミナルブロックの方法で、マウンティングレール１の縁辺レグ１ｄ、１ｅにロックするように設計されており、前記マウンティングレール上に互いに一列に並べられる。
【００３８】
マウンティングレール１上、特に、ベースレグ１ａとサイドレグ１ｂ、１ｃの間のＵ形自由スペース３内に、配置又は形成されているのは、少なくとも１つのサプライレール４である。好ましくは、これは、自由スペース中に接着されるか、又はクランプ止めされたサプライレール４である。
【００３９】
サプライレール４は、少なくとも１つの容量的又は誘導的に動作するエネルギー伝送インターフェイス５と、１つの容量的又は誘導的に動作するデータ伝送インターフェイス６（図８及び１０を参照）とを有する。
【００４０】
図６によれば、１次側インターフェイス６、７は、１次側誘導要素及び２次側誘導要素２４において、エネルギー伝送及びデータ伝送のために連結されており、これによって必要な部品数及び構造スペースが減少する。
【００４１】
好ましくは、サプライバーは、さらに、いくぶん縦方向のベースボディを有し、これがスペース３に装入されて、スペース３においてマウンティングレール１の広がりＸの主方向に沿って延びており、マウンティングレール１の上には、容量的又は誘導的に動作するエネルギー伝送インターフェイス５―少なくとも１つの誘導要素、又は容量的又は誘導的に動作するデータ伝送インターフェイス６―少なくとも１つの電極［ｓｉｃ］、が配置されている。
【００４２】
図２によれば、各バス加入者モジュール２は、対応する容量的又は誘導的に動作するエネルギー伝送インターフェイス７及び対応して容量的又は誘導的に動作するデータ伝送インターフェイス８を有する。
【００４３】
インターフェイス５〜８は、好ましくは、サプライバー４及びバス加入者モジュール２の相互に対向する側面上で、互いに反対に位置する。
【００４４】
各バス加入者モジュール２には、さらに、マイクロコントローラ９が設けられており、このマイクロコントローラ９は、エネルギー伝送インターフェイス７及びデータ伝送インターフェイス８に接続されている。各バス加入者モジュール２は、さらに、１つ又はいくつかの接続１０、１１（又はインターフェイス）、特に、アクチュエータ類、センサ類、始動装置、その他などの、特に、電気的又は光学的回線／ケーブルを介する、外部フィールドユニット１２の接続を、それらにエネルギーを供給するため、及び／又はそれらにデータを伝送するため及び／又はそれらからデータ用の信号を受信し、場合によっては処理するため、並びに場合によってはデータをゲートウェイモジュール１３に伝送して戻すために、有する。バス加入者モジュールは、少なくとも、完全受信ユニットを構成するのに必要となる種類の電子回路、及びデータを送り返す場合には、データ用の送信ユニットをさらに有する（図８及び１０を参照）。
【００４５】
ゲートウェイモジュール１３は、好ましくは、１つ又はいくつかの回線（複数を含む）（ケーブル）によってサプライバー４と接続されると共に、サプライバー４上の誘導要素／容量要素に接続されている。ゲートウェイモジュール１３には、さらに、電気構造部品及び／又は電子構造部品を含めることができ、これらの部品はさらに送信ユニット又は複合送受信ユニット又は装置（図８及び１０、整流器及び逆整流器、コンデンサ、その他など）を製作するのに必要である。しかしながら、これらの構成要素をサプライバー４に直接、統合することや、サプライバー４にゲートウェイ機能を装備することも考えられる。
【００４６】
ゲートウェイモジュール１３（図３を参照）は、ハードワイヤエネルギー伝送インターフェイス１４及び対応するハードワイヤ（又は場合によっては容量的又は誘導的に動作する）データ伝送インターフェイス１５を有する。
【００４７】
ゲートウェイ１３は、特に、電力パックなどの外部エネルギー源１６からエネルギー伝送インターフェイス１４を介してエネルギー伝送インターフェイス５にエネルギーを結合導入すること、及び、例えばＳＰＳ［メモリプログラム制御］を有することのできる、上位バスレベル１７とのデータ通信に使用される。ゲートウェイ１３はまた、マイクロコントローラ１８を有し、このコントローラは、この場合には、エネルギー伝送インターフェイス１４に加えてデータ伝送インターフェイス１５、及びバスレベルインターフェイス１９に接続されている。
【００４８】
本発明の特に好ましい変形形態によれば、受信及び送信に必要な、ゲートウェイ１３の構造要素とサプライバー４とからなる、エネルギー伝送装置及び／又はデータ伝送装置は、２つ以上のバス加入者モジュールを結合できるように設計されている。
【００４９】
この目的に対しては、構成要素の少なくとも１つ、又は両方の構成要素、即ち、サプライバー４のエネルギー／データ伝送インターフェイス５、６が、バス加入者モジュール２の２つ以上、特にバス加入者モジュール３のいくつかをそれに結合できるように設計される。
【００５０】
本発明の特に好ましい変形形態によれば、構成要素の少なくとも１つ、又は両方の構成要素、即ち、エネルギー／データ伝送インターフェイス５、６でさえも、マウンティングレール１のすべてのバス加入者モジュール２がそれらに結合できるように設計されている。
【００５１】
好ましくは、エネルギー伝送インターフェイス５及びデータ伝送インターフェイス６は、容量的又は誘導的に作用するように設計され、この点では、好ましくはそれぞれに、少なくとも１つの１次誘導要素２１（コイル）、又は容量要素（コンデンサ）の１つの１次電極（１つのストリップ導体又は１つの金属プレート又はコーティング又はその他）を対応して有する（図５を参照）。図５においては、例えば、誘導要素２１は、１次側エネルギー伝送インターフェイス５として使用可能であり、ストリップ導体２２は１次側データ伝送インターフェイス６として使用されるように設計される。
【００５２】
図５において分かるように、要素２１、２２はそれぞれ、個々のバス加入者モジュール２又はそのエネルギー／データ伝送インターフェイス６（図９の２次電極２４、又は図７の２次誘導要素２３を参照）よりも長い距離にわたって、主延長方向Ｘに沿って延びている。このことは、基本的に図１８においても見て取ることができる。
【００５３】
この理由で、本発明は、各バス加入者モジュール毎にそれぞれ個別のエネルギー／データ伝送装置を設けるか、又はそれぞれ個別の誘導要素又は個別の容量要素を設けるという過去の傾向からは明らかに逸脱している。
【００５４】
この改変された設計は、多くの利点をもたらす。
【００５５】
例えば、図５に示す設計によって、マウンティングレール１の主延長方向Ｘに沿ったモジュール用の個々のバスを、主延長方向Ｘの任意無作為のサイトに設定することが容易に可能になることは極めて明白である。現況技術におけるように、いずれかの個々に事前設定されたグリッドに連絡する必要はない。これによって、主延長方向Ｘに沿って異なる幅を有するバス加入者モジュール２を挿入することも可能になる。
【００５６】
さらに、エネルギー／データ伝送装置に関して、必要な１次誘導要素（コイル）２１が少なくなるので、構造又は設計上の労力が減少する。特に好ましい変形形態によれば、１次誘導要素２１の１つだけが必要となる。
【００５７】
次いで、エネルギー／データ伝達インターフェイス５、６へのゲートウェイのデータ／エネルギー伝送を上位から制御又は調整する、制御装置、特にゲートウェイモジュール１３のマイクロコントローラ１８又はその他の制御装置が、好ましくは、特定された実際状態に応じてシステムが調整されるように、設計される。
【００５８】
好ましくは、特にインターフェイスの誘導性設計の場合には、バス加入者モジュールの数が可変の場合にバス加入者に最適動作点を設定するために、システム全体としての共振周波数が再調節される。場合によっては、入力電圧も再調節される。再調節は、特に基準バス導体モジュールの助けで達成することも可能であり、この基準バス導体モジュールは、ゲートウェイ中に統合することもできると共に、次いで再調節のための基準としても使用することができる。
【００５９】
その程度までは、勿論、強制的ではない状況において、調節技法についてはある程度の努力が必要となる。しかしながら、他方では、設計労力を低減すると共に、動作サイトにおけるシステムの管理容易性、及びその可変性を、特に明らかに向上させることもできる。
【００６０】
サプライバー４のそれぞれが、マウンティングレール１の長さの一部にだけ、例えば１ｍの距離まで、言い換えると、マウンティングレールの長さの半分にだけ延びて、次いで、個々のサプライバー４が、ケーブル２０を介して互いに接続されることも考えられる（図１７）。同様に、サプライバー４を、いくつかのマウンティングレール１にわたって延びるケーブルを介して互いに接続することもできる。システムは、そのようにすると、非常に柔軟性が高くなる。
【００６１】
有利には、サプライバーは、１次誘導要素／コイル２１及び／又は１次電極（例えば、ストリップ状導体）２２を（好ましくは、それだけを）有し、それが、２つのバス加入者モジュールの広がりよりも大きい、マウンティングレール方向Ｘにおける広がりを示す。
【００６２】
サプライバーのモジュール構造も考えられ、その場合には、データ伝送はケーブルを介して行われるが、エネルギー供給のためには、各モジュール用に別個の供給装置がある。それが図２６に示されている。
【００６３】
サブベース中に挿入されたサプライ要素、サプライバー４、は、全体を細分割することも、個々のセグメントに細分割することも可能である。細分割の場合には、システム全体は、それでも論理的な方法で全体として相互接続する必要があり、そのために、個々のサブセグメント３１間に専用のケーブル接続２０が設けられている。データ伝送及び任意選択の位置特定のための信号経路（それぞれ、３７における）を、有利にこのルートに沿って回すことができるが、エネルギー伝送の供給装置は、各サブセグメントに対して別個に設けられる。このようにして、個々の発生器モジュール１３’は、それらが供給すべき出力が少なくなるため、及び再調節の複雑性が低下するために、より安価にすることができる。
【００６４】
また、ゲートウェイ１３（又はその他の発生器）とサプライバー４の間の非接触のデータ結合及び／又はエネルギー結合も考えられる。これが図２７に示されている。
【００６５】
代替電圧発生器は、直接、又はケーブルを介して、サプライバー１４内の１次コイルと連結されているが、ここでは誘導結合も考えられる。サプライバー４は、この場合に好ましくは、発生器モジュール１３用の固定キャッチ位置を包含するが、このモジュールは、適当な送信器を介して、必要な信号をサプライバー内に位置する２次誘導要素３６に結合する。次いで、この送信器の出力は、コンデンサ３４を備える共振振動回路を介して、実際の１次コイル３５に給電し、これによって加入者２の誘導性供給が容易化される。この構造の有利な特徴は、さらに、サプライバー４内に能動構成要素がないこと、破損安全性を促進するものからなる。サプライバー４は、さらに、電気機械的接触を備えない接触要素として製作することもできる。
【００６６】
システムの制御装置は、さらに好ましくは、物理的なパラメータを含み、このパラメータが、コイル又は電極に設置される、バス加入者モジュールの数を特定することを可能にするように設計される。
【００６７】
システムの制御装置は、さらに好ましくは、物理的パラメータを含み、このパラメータが、コイル又は電極に設置されるバス加入者モジュールの主延長方向Ｘでの位置を特定することを可能にするように設計される。
【００６８】
ここで別の有利な特徴が強調される。本発明の好ましい、しかし強制的ではない、設計によれば、市販のマウンティングレール１に、エネルギー伝送装置及びデータ伝送装置４を備えることができる。
【００６９】
図１１〜１３に示す、本発明の別の有利な変形形態によれば、エネルギー及び伝送装置の少なくとも１つのセグメントが、Ｚ方向においてマウンティングレール１に対して垂直に位置づけられて、突出領域２５が自由スペース３から突き出す状態で、上方に突出している。従って、バス加入者モジュール２及びゲートウェイモジュール１３のハウジングは、領域２５に対応する凹部２６を有することになる。このようにして、機械的動作方法で、システムに属さないモジュール２７（図１２）がロックオンされるのを防止する、符号システムを有利に設定することができる。これは、特に、システムに対する何らかの歪曲的な影響を防止するのにも使用される。
【００７０】
図１４は、誘導性エネルギー伝達インターフェイス５及び容量性データ伝送インターフェイス５を備えるサプライバーを備え、かつ類似のインターフェイス７、８を備えるバス加入者モジュール２を備える、マウンティングレール１からなる、簡略化して図示した配置の斜視図及び特徴図を示す。
【００７１】
従って、１次側（マウンティングレール側）の誘導要素（１次コア２８を参照）は、２次側（バス加入者モジュール２）の誘導要素（２次コア２９を参照）よりも幅が広い。そのようにして、バス加入者モジュールを、マウンティングレールに対して垂直なＹ方向において精密に位置づけなくてはならないという状況を防止することができる。代わりに、位置決め誤差を調節することができるか、又は重要でなくなる重複領域を創り出す。
【００７２】
図１５は、位置決め誤差を調節するための、同様の可能性を創り出す。ここでは、それぞれ並列延長された（parallel-extended）ストリップ導体３０、３１により、容量的に動作するエネルギー伝送装置及び／又はデータ伝送装置の電極を形成して設ける。しかしながら、これらのストリップ導体は、Ｘ−Ｙレベルではなく、Ｘ−Ｚ方向に位置する。好ましくは、ストリップ導体は、それぞれ、Ｕ形凹部３２のサイドレグ３２ａ、ｂ上、及び対応する凸部３３のサイドレグ３３ａ、ｂ上に、対を成して製作される。そのようにして、２つの容量要素が、各凸部３３又は各凹部３２に製作される。好ましくは、さらに、Ｙ方向においてオフセットされて、それぞれ、２つの局所凸部３０、及び凹部３２の２つが、上記した種類の２つの容量要素で製作される。
【００７３】
さらに好ましい方法においては、凹部内のストリップ導体３０は、凸部３０のサイドレグ上のストリップ導体３１よりも、マウンティングレールに対して垂直に（Ｚ方向において）より大きな広がりを有する。そのようにして、簡単な方法で、Ｘ方向及びＺ方向の両方において、位置決めの誤りの影響を低減することができる。
【００７４】
共振動作周波数の再調節は考えられるが、どうしても必要ではなく、例えば、インターフェイスが容量性設計である場合、又は数個のバス加入者モジュールだけに、各１次誘導要素に対する誘導性設計が行われる場合には、それほど必要ではない。
【００７５】
いくつかのバス加入者モジュール２を、容量性、非接触、エネルギー及びデータの結合システムにおいて同時に連結することもできる。
【００７６】
データ伝送及びエネルギー伝送のための容量結合表面は、サプライバー４の適当な支持構造上のスペースについて、互いに別個に収容するのが好ましい。
【００７７】
エネルギー供給のための信号は、好ましくは、１次側でインバータを介して処理され、２次側で（所望の電圧を達成するために）直列接続ＤＣ／ＤＣ変換器を備える整流器を介して処理される。図１０を参照されたい。
【００７８】
共振発振回路を適当に設計することによって、バス加入者（バス加入者モジュール２）の数にかかわらず、共振周波数を一定に維持することができる。
【００７９】
図１８は、誘導性エネルギー伝送用及び容量性データ伝送用の変形形態を示す。ここで、Ｘ、Ｙレベルに平行なレベルにおけるサプライバー上で、容量性データ伝送用のインターフェイス５が、またバスサプライモジュール上に、Ｘ−Ｙレベルに平行なレベルの対応する表面上に容量性データ伝送用の対応するインターフェイス７が設けられている。他方で、エネルギー伝送は、Ｘ−Ｚレベルに平行であるバスバーの側面上のコイルを用いて、誘導的に行われる。１次側の誘導要素は、コイルコア２５の回りに巻回されて、コイルコアの前面は、バスバーの反対側面３６、３７にある。
【００８０】
最後に図１９は、誘導性エネルギー伝送５、７用及び容量性データ伝送６、８用の可能な変形形態を示す。ここで、やはりコイルは、Ｘ−Ｙレベルの各レベルにおいて、互いに対向して位置し、それに対して、容量性データ伝送用の電極は、Ｙ−Ｚレベルにおいてバスバーの側面上に配置される。
【００８１】
図１８及び１９によれば、エネルギー伝送用及びデータ伝送用のサプライバーのインターフェイスは、様々なレベルで、この場合には、互いに垂直に整列されたレベルで、時間において互いに明確に離隔されて整列されている。
【００８２】
図２０〜２５は、線形配置における位置特定の方法を表している。
【００８３】
この整列可能なバスサプライモジュール２の非接触位置特定の方法においては、容量性設計［ｓｉｃ］の場合に、エネルギー伝送インターフェイス及び／又はデータ伝送インターフェイス５、６を使用するのが好ましい。
【００８４】
この場合には、マウンティングレール１と一緒に、それぞれの個別加入者又はそれぞれの個別バス加入者モジュール２が、エネルギー／データ伝送インターフェイスを備える、２つの結合容量要素を形成する。
【００８５】
好ましくは、ここでの容量要素は、一方又は両方が、Ｘ方向において変更される幾何形状を有すること、及び／又はＸ方向におけるそれらの間隔が変化すること、及び／又は場合によっては一方又は両方電極上に配置された、誘電体が、その構成又は幾何形状において変化することにおいて、そのサイトが変更できるように設計される（図２３）。
【００８６】
そのようにして、容量性エネルギー／データ伝送及び誘導性エネルギー／データ伝送と共に、特に、エネルギー伝送インターフェイスを誘導的に設計して、データ伝送インターフェイスを容量的に設計することも考えられる。
【００８７】
そのようにして、特に多数の加入者を連結することができる。
【００８８】
中央制御ユニットは、バス加入者モジュール２のネットワークへのアクセスを再び調整する（マスター・スレーブ原理）。
【００８９】
このことによって、異なる周波数域を使用することに加えて異なる幾何学的配置を行うことによって誘導性及び容量性の信号伝送を切り離すことが容易になる。
【００９０】
好ましくは幾何学的モデルは、大きな機械的位置決め公差が許容されるように形成する。
【００９１】
ここで、先述の方法によれば、自動位置認識が行われるように準備される。
【００９２】
この工程で発生した信号は、マイクロプロセッサ又は制御装置を用いて解析される。
【００９３】
この工程において、共振周波数が特定される。
【００９４】
この共振周波数が特定されると、サイト関連共振ピークのレベルが解析される。
【００９５】
このために、例えば、結合コンデンサの一部を構成する、ストリップ導体を、長方形形態でマウンティングレール１上に製作するのではなく、最終形態と異なる事前に分かっている幾何学形状にする。
【００９６】
図２３によれば、ストリップ導体は、Ｘ方向におけるサイトＸ１においてベース幅Ｙ１から始まりその幅が広がる、即ち、そのＹ方向の幅が増大するようにされる。
【００９７】
幅方向に、Ｘ方向に可変容量要素が得られる。
【００９８】
この容量要素から、その程度までは、特定のロックオンされた構成要素のサイトについての結論を導くことができる。
【００９９】
以下では、１次電極及び／又は１次誘導要素を備えるサプライバーで表されるような、線形構造における位置特定の好ましい方法についても説明する。
【０１００】
装着された加入者又はバス加入者モジュール２の順序を特定するためには、直線状の加入者のすべてを完全に数えるか、又はそれら個別の幾何学的位置を特定して比較することが必要となる。装着レールの広がりの方向に沿って、特殊な物理量を変化させることを提案する。このことが非接触接続を伴うということが、利用可能な物理的パラメータの選択を制限するが、その代わり、このことによって容量的な解決策が提供される。ストリップ導体の形態で行うことのできる、２つの電極の間の容量の変化は、様々な計量法で達成することができる。
【数１】
2014132821.tif 000003
【０１０１】
上記の式で記述されるような、容量についての基礎的な数学的記述から出発して、測定技術によって解析することのできる、サイト関連の結合容量として得るために、表面Ａの、電極間隔ｄの、又は誘電性番号ＥＲによって記述される誘電体の特性のサイト関連設計を使用することができる。可変表面の例を使用して、サプライバー上で使用するのに適しており、場合によってはエネルギー接続及び／又はデータ接続と直接的に組み合わせることのできる、電極配置の可能な実行について説明する。
【０１０２】
この点について、位置特定のための電極表面の可能性のある幾何学的設計を示す、図２３を参照する。
【０１０３】
ここで、１次側に三角形ベース表面を使用するが、これは、２次側に対向配置された電極表面と組み合わせることによって、その容量値が、重複表面に、従ってモジュールの位置に直接的に依存する、２つのコンデンサを形成することを容易にする。２次モジュール幅ｂ及び平均鉛直寸法ａの積から得られる有効表面Ａは、位置変数ｌｐの関数として、以下のように表される：
【数２】
2014132821.tif 000004
【０１０４】
有効表面Ａは、従って、一般にａとｂの積から求めることができる：
【０１０５】
【数３】
2014132821.tif 000005
一般容量計算のための式に挿入されるように、従って位置関連結合容量ＣＫに対して、以下の等式を設定することができる。
【数４】
2014132821.tif 000006
【０１０６】
図２０は、２次側において電圧が測定される、回路変形形態１を示す。
【０１０７】
２次側における位置特定の最も簡単な方法は、負荷抵抗を介して電圧降下（それぞれの電流）を測定することによって実現することができる。結合コンデンサの容量が増大すると、関連して発生する電圧降下が減少し、これによって、１次側が一定入力電圧の場合には、２次側の特定の負荷抵抗を介するより高い電圧降下を生じることになる。
【０１０８】
図２１は、１次側に直列共振を含む、スイッチング回路変形形態２を示す。
【０１０９】
非常に少数の追加構成要素で済む、この設定は、１次側での共振誘導要素を使用する。１次側に結合される、信号は、従って、誘導要素の値及び結合容量の並列スイッチから得られるシステム共振周波数に一致しなくてはならない。そのように、システム共振周波数は一定ではなく、存在する２次側モジュールの数の関数である。従って、１次側の共振周波数を解析すると、加入者の数を特定することが可能になるが、順序はそうではない。
【０１１０】
システム共振周波数の境界は、２つの状態によって記述される。最も高い潜在的共振周波数は、単一の加入者だけが存在し、その加入者が最小結合容量の位置にある場合に得られる。この状態は、一般に以下のように記述される。
【数５】
2014132821.tif 000007
【０１１１】
共振周波数の下方境界は、システムがその全長において占有されている場合に決まるが、最大の潜在的有効結合容量を生じるものである。
【数６】
2014132821.tif 000008
【０１１２】
一般に、結果として得られる境界周波数は以下のように定式化することができる。
【数７】
2014132821.tif 000009
【０１１３】
個別の位置特定に使用することのできる、２次側での電圧降下は、結合コンデンサ及び負荷抵抗の直列接続から生じる、特定の２次側インピーダンスに依存する。
【数８】
2014132821.tif 000010
【０１１４】
これらの２次インピーダンスは、１次側の視点からは、並列に配列されて、その後、同じ入力電圧が加えられる。
【数９】
2014132821.tif 000011
【０１１５】
一定の２次負荷抵抗で動作すると、従って、２次側の電圧は、それぞれ、サイト変数ｌｐの個別の結合容量の関数である。異なる位置に４人の加入者を有するシステムの例を使用すると、電圧曲線は、図２４に示すスイッチング変形形態１に対するシミュレーションのようにすることができる。
【０１１６】
図２２は、２次側に直列共振を含む、スイッチング回路変形形態３を示す。
【０１１７】
１次側での共振スイッチングに対する代替形態として、共振条件に対して必要な誘導要素も、２次側に配置することもできる。スイッチング回路変形形態２と異なり、必要構成要素の数は増大し、この数は、加入者の数に依存する。さらに、加入者の位置は、２次側での電圧降下のレベルによるだけでなく、特定の共振周波数によって定義される。１次側から見ると、単一のシステム共振周波数を得ることはなく、個別の共振周波数を得て、この周波数は、特定の加入者位置によって定義される。このスイッチング回路配置の結果として、個別の加入者は、それ自身の個別共振周波数を見出すことにおいて、それ自身の位置を特定することができるが、１次側から見ると、接続された加入者の数に加えて位置も特定することができる。
【０１１８】
共振周波数を特定できるためには、測定のために十分に強度のある、電圧又は電流信号を２次側に発生させることが必要である。２次側電圧の例を使用すると、以下に示すように、結合容量の関数として、その表現を設定することができる。
【数１０】
2014132821.tif 000012
【０１１９】
スイッチング回路変形形態２に対するシミュレーションにおけるのと同様に、同じパラメータを考慮すると、共振周波数分布に対する数学的な結果は、図２５に記載するようになり、これは、スイッチング回路変形形態３に対するシミュレーション結果を示す。
【符号の説明】
【０１２０】
１…マウンティングレール
１ａ…ベースレグ
１ｂ、１ｃ…サイドレグ
１ｄ、１ｅ手かせ縁辺レグ
２…バス加入者モジュール
３…Ｕ形スペース
４…サプライバー
５…１次側エネルギー伝送インターフェイス
６…１次側データ伝送インターフェイス
７…２次側エネルギー伝送インターフェイス
８…２次側データ伝送インターフェイス
９…マイクロコントローラ
１０、１１…接続
１２…フィールドユニット
１３…ゲートウェイモジュール
１４…エネルギー伝送インターフェイス
１５…データ伝送インターフェイス
１６…エネルギー源
１７…バスレベル
１８…マイクロコントローラ
１９…バスレベルインターフェイス
２０…ケーブル
２１…１次誘導要素
２２…１次電極
２３…２次誘導要素
２４…２次電極
２５…領域
２６…凹部
２７…モジュール
２８…１次コア
２９…２次コア
３０、３１…ストリップ導体
３２…凹部
３２ａ、ｂ；３３ａ、ｂ…サイドレグ 
３３…凸部
３４…コンデンサ
３５…１次コイル
３６…２次誘導要素
３７…信号経路
Ｘ…主延長方向
Ｙ、Ｚ…方向
【図１】
2014132821.tif 000013
【図２】
2014132821.tif 000014
【図３】
2014132821.tif 000015
【図４】
2014132821.tif 000016
【図５】
2014132821.tif 000017
【図６】
2014132821.tif 000018
【図７】
2014132821.tif 000019
【図８】
2014132821.tif 000020
【図９】
2014132821.tif 000021
【図１０】
2014132821.tif 000022
【図１１】
2014132821.tif 000023
【図１２】
2014132821.tif 000024
【図１３】
2014132821.tif 000025
【図１４ａ】
2014132821.tif 000026
【図１４ｂ】
2014132821.tif 000027
【図１５】
2014132821.tif 000028
【図１６】
2014132821.tif 000029
【図１７】
2014132821.tif 000030
【図１８】
2014132821.tif 000031
【図１９】
2014132821.tif 000032
【図２０】
2014132821.tif 000033
【図２１】
2014132821.tif 000034
【図２２】
2014132821.tif 000035
【図２３】
2014132821.tif 000036
【図２４】
2014132821.tif 000037
【図２５】
2014132821.tif 000038
【図２６】
2014132821.tif 000039
【図２７】
2014132821.tif 000040